(57)【要約】【課題】シャッターボックスの建物躯体側に防火の構造を設けたシャッターを提供する。【解決手段】上枠１０と下枠１１及び左右の縦枠１２，１２を枠組みしてなる枠体１を有し、上枠１０は扉体３を支持すると共に巻き上げて収納自在なシャッターボックス２を有し、シャッターボックス２には、建物躯体に対して固定される背板部材２５に沿って耐火材２７が配置され、耐火材２７は背板部材２５の少なくとも縁部に配置される。【選択図】図３
2015068023.tif 000002
【特許請求の範囲】
【請求項１】
上枠と下枠及び左右の縦枠を枠組みしてなる枠体を有し、前記上枠は扉体を支持すると共に巻き上げて収納自在なシャッターボックスを有するシャッターにおいて、
前記シャッターボックスには、建物躯体に対して固定される背板部材に沿って耐火材が配置されることを特徴とするシャッター。
【請求項２】
前記耐火材は前記背板部材の少なくとも縁部に配置されることを特徴とする請求項１記載のシャッター。
【請求項３】
前記背板部材の縁部を覆うように防水シール材が設けられ、該防水シール材を覆うように前記耐火材が配置されることを特徴とする請求項１または２記載のシャッター。
【発明の詳細な説明】
【技術分野】
【０００１】
本発明は、建物開口部に設けられる枠体の上枠に巻回自在な扉体を納めるシャッターボックスを設けたシャッターに関し、特にシャッターボックスにおける防火性を向上させたシャッターに関する。
【背景技術】
【０００２】
枠体の上枠に巻回自在な扉体を納めるシャッターボックスを設けたシャッターが建物開口部に設けられることがある。シャッターの扉体は、複数のスラットを上下方向に連結して構成される。また、シャッターボックスは建物躯体の室外側面に対して固定されて、扉体を巻回することのできる巻き取り軸を内部に備えている。このようなシャッターとして例えば特許文献１に挙げるようなものがある。
【先行技術文献】
【特許文献】
【０００３】
【特許文献１】特開２０１０−１６３７４０号公報
【発明の概要】
【発明が解決しようとする課題】
【０００４】
シャッターにおいては、高い防火性能を求められる場合がある。火災は、シャッターの室内側で発生する場合と室外側で発生する場合とがあるが、いずれの場合でも、シャッターによる室内外の遮蔽状態が維持され、火炎がシャッターの内外を貫通しないことが求められる。
【０００５】
火災の際、建物躯体が燃えている場合に、建物躯体側からの火炎や可燃ガスが、シャッターボックス内またはシャッターボックスの周囲に侵入するおそれがあり、これによってシャッターボックス付近での発火、あるいは火炎がシャッターボックスを貫通する可能性があるので、シャッターボックスの建物躯体側における防火構造が必要となっていた。
【０００６】
本発明は前記課題を鑑みてなされたものであり、シャッターボックスの建物躯体側に防火の構造を設けたシャッターを提供することを目的とする。
【課題を解決するための手段】
【０００７】
前記課題を解決するため、請求項１の発明に係るシャッターは、上枠と下枠及び左右の縦枠を枠組みしてなる枠体を有し、前記上枠は扉体を支持すると共に巻き上げて収納自在なシャッターボックスを有するシャッターにおいて、
前記シャッターボックスには、建物躯体に対して固定される背板部材に沿って耐火材が配置されることを特徴として構成されている。
【０００８】
請求項１に係る発明によれば、火災発生時には背板部材とシャッターボックスとの間の隙間が耐火材により充填されるので、建物躯体側からの火炎や可燃ガスがシャッターボックス内に侵入することを防止できる。
【０００９】
また、請求項２の発明に係るシャッターは、前記耐火材は前記背板部材の少なくとも縁部に配置されることを特徴として構成されている。
【００１０】
請求項２に係る発明によれば、耐火材が背板部材の縁部を覆って火炎や可燃ガスの侵入を防止することができる。
【００１１】
さらに、請求項３の発明に係るシャッターは、前記背板部材の縁部を覆うように防水シール材が設けられ、該防水シール材を覆うように前記耐火材が配置されることを特徴として構成されている。
【００１２】
請求項３に係る発明によれば、通常の施工手順に加えて耐火材を配置するだけで防火性を高くしたシャッターとすることができ、作業性を良好にすることができる。
【発明の効果】
【００１３】
本発明に係るシャッターによれば、背板部材を介した火炎や可燃ガスのシャッターボックス内への侵入を防止して、高い防火性能を備えるようにすることができる。
【図面の簡単な説明】
【００１４】
【図１】本実施形態におけるシャッターの縦断面図である。
【図２】本実施形態におけるシャッターの横断面図である。
【図３】図１のうちシャッターボックス上部の建物躯体付近の拡大図である。
【図４】図１のうちシャッターボックス下部の建物躯体付近の拡大図である。
【図５】シャッターの横断面図であってシャッターボックス側部の建物躯体付近の拡大図である。
【図６】背板部材の施工手順を表した正面図である。
【図７】火災発生時におけるシャッターボックス上部の建物躯体付近の拡大図である。
【図８】火災発生時におけるシャッターボックス下部の建物躯体付近の拡大図である。
【図９】火災発生時におけるシャッターボックス側部の建物躯体付近の拡大図である。
【発明を実施するための形態】
【００１５】
本発明の実施形態について図面に沿って詳細に説明する。図１には本実施形態におけるシャッターの縦断面図を、図２には本実施形態におけるシャッターの横断面図を、それぞれ示している。これら各図に示すように、本実施形態のシャッターは、上枠１０と下枠１１及び左右の縦枠１２，１２を方形状に枠組みしてなる枠体１内に内障子４と外障子５を引き違い状に納め、上枠１０にはシャッターボックス２を設けて扉体３を収納可能とすると共に、シャッターボックス２から扉体３を引き出し自在として構成されている。
【００１６】
内障子４と外障子５は、それぞれ上框３０と下框３１及び左右の縦框３２，３２を方形状に框組みしてなる框体６内に、ガラス板からなるパネル体７を納めて構成されている。枠体１を構成する下枠１１には、内障子４を長手方向に案内する内レール部１１ａと、外障子５を長手方向に案内する外レール部１１ｂとが形成されている。また、枠体１を構成する上枠１０には、内障子４の上辺を長手方向に案内する上内レール部１０ａと、外障子５の上辺を長手方向に案内する上外レール部１０ｂとが形成されている。
【００１７】
シャッターボックス２は、上面部４０と下面部４１及び左右の側面部４２，４２を有しており、側面部４２を構成する側面部材１８には巻き取り軸２０が取付けられている。巻き取り軸２０は、多数のスラット２２を上下方向に連結してなる扉体３を巻回可能としており、シャッターボックス２内に扉体３を収納可能となるように構成されている。扉体３は、シャッターボックス２の下部に形成された開口部２１から下方に引き出し自在となっている。なお、図１は扉体３を引き出して全閉とした状態を表している。
【００１８】
シャッターボックス２を有する上枠１０は、上面部４０を構成する上側部材１５と、下面部４１を構成する下側部材１６とを有し、シャッターボックス２はさらに、側面部４２を構成する側面部材１８と、上側部材１５からシャッターボックス２の室外側面を構成するカバー部材１７を有している。また、シャッターボックス２の扉体３を収納する空間部の建物躯体側を覆うように、背面カバー部材１９が設けられる。背面カバー部材１９は、躯体室外面５０と僅かな隙間を介して離隔し対向するように配置される。
【００１９】
縦枠１２の室外側には、扉体３の左右端部を上下方向に案内するガイドレール部材１３が設けられている。ガイドレール部材１３は、扉体３の左右端部を飲み込む凹状の案内部１３ａを備えている。
【００２０】
扉体３の下端部には、ガイドレール部材１３間の略全長に渡る幅を有した幅木部材２３が設けられる。幅木部材２３は、面状に形成された室外側壁２３ａの室外側に、逆Ｌ字状に突出する一体的な把手部２３ｂを有している。図２に示されているように、扉体３の下端部左右端部付近には、樹脂製の当たり部材２４，２４が設けられている。幅木部材２３は、両側の当たり部材２４，２４間に設けられており、扉体３の端部よりも中央寄りにその両端部が配置されることとなる。
【００２１】
下枠１１の室外側部には、幅木部材２３の下端部を納めることができる溝状の凹部１１ｃが形成されている。幅木部材２３を枠体１の下端部に配置することで、幅木部材２３の下端部が凹部１１ｃに納められると共に、凹部１１ｃを構成する下枠１１の室外側面を、幅木部材２３の把手部２３ｂが跨いだ状態となる。
【００２２】
次に、シャッターボックス２の固定構造について詳細に説明する。シャッターボックス２は、図１に示すように、建物の躯体室外面５０に対して当接しネジ止め固定されている。上側部材１５には、室内端部にフィン部１５ａが形成されており、このフィン部１５ａが躯体室外面５０に当接してネジ止め固定されている。また、下側部材１６にも、見込方向において上内レール部１０ａと上外レール部１０ｂの位置にフィン部１６ａが形成されており、このフィン部１６ａが躯体室外面５０に当接してネジ止め固定されている。
【００２３】
図３には図１のうちシャッターボックス２上部の建物躯体付近の拡大図を、図４には図１のうちシャッターボックス２下部の建物躯体付近の拡大図を、図５にはシャッターの横断面図であってシャッターボックス２側部の建物躯体付近の拡大図を、それぞれ示している。図３に示すように、上側部材１５には下方に向かって伸びる内側フィン部１５ｂが形成されている。内側フィン部１５ｂは、フィン部１５ａよりもやや室外側寄りに配置されていて、フィン部１５ａが当接する躯体室外面５０の第一面５０ａと対向する。
【００２４】
図４に示すように、下側部材１６には、フィン部１６ａよりも上方に延出された内側フィン部１６ｂが形成されている。内側フィン部１６ｂは、フィン部１６ａよりもやや室外側寄りに配置されていて、フィン部１６ａが当接する躯体室外面５０の第一面５０ａと対向する。
【００２５】
図５に示すように、シャッターボックス２の側部に配置される縦枠１２は、室内端部から外周側に向かって突出するフィン部１２ａを有し、このフィン部１２ａが躯体室外面５０に当接してネジ止め固定される。また、縦枠１２には、フィン部１２ａより内周側に向かって突出する内側フィン部１２ｂが形成されている。内側フィン部１２ｂは、フィン部１２ａよりもやや室外側寄りに配置されていて、フィン部１２ａが当接する躯体室外面５０の第一面５０ａと対向する。
【００２６】
躯体室外面５０は、上側部材１５の内側フィン部１５ｂと下側部材１６の内側フィン部１６ｂの間、及び左右の縦枠１２の内側フィン部１２ｂ間の領域が、第一面５０ａよりも室外側寄りとなる第二面５０ｂとして、第一面５０ａと段差をなしている。上側部材１５の内側フィン部１５ｂから下側部材１６の内側フィン部１６ｂの間、及び左右の縦枠１２の内側フィン部１２ｂ間の領域には、薄い金属板からなる背板部材２５が設けられ、第二面５０ｂに当接する。
【００２７】
背板部材２５は、上辺周縁部が上側部材１５の内側フィン部１５ｂと重なり、下辺周縁部が下側部材１６の内側フィン部１６ｂと重なっており、両側周縁部はそれぞれ縦枠１２の内側フィン部１２ｂと重なっている。すなわち、背板部材２５の周縁端部である縁部２５ａは、四周に渡って内側フィン部１５ｂ，１６ｂ，１２ｂと重なり合う境界線を構成する。
【００２８】
背板部材２５の縁部には、全周に渡って防水シール材２６が設けられる。防水シール材２６は、背板部材２５と躯体室外面５０との間に水が浸入することを防止するために設けられるものであり、背板部材２５の縁部２５ａを覆うように配設される。この防水シール材２６をさらに室外側から覆うように、加熱発泡材２７が設けられる。加熱発泡材２７は耐火材の一種であり、火災時の高温に晒されると発泡して面方向に膨張し、空間を塞ぐことのできる材料からなるもので、防水シール材２６と同様、背板部材２５の全周に渡って配置され、背板部材２５と対向する。加熱発泡材２７は、幅方向において、背板部材２５の周縁部から、縁部２５ａを跨いで背板部材２５よりも外周側の内側フィン部１５ｂ，１６ｂ，１２ｂの領域まで渡るように形成されている。
【００２９】
図３に示すように、背板部材２５の上辺において加熱発泡材２７は、下側の略半分の表面がシャッターボックス２の背面カバー部材１９と近接対向し、上側の略半分の表面は背面カバー部材１９の上方の空間に面する。図４に示すように、背板部材２５の下辺においては、加熱発泡材２７は全面がシャッターボックス２の背面カバー部材１９と近接対向する。また、図５に示すように、背板部材２５の縦辺において、加熱発泡材２７は全面がシャッターボックス２の背面カバー部材１９と近接対向する。
【００３０】
図６には、背板部材２５の施工手順を表した正面図を示している。図６（ａ）は、躯体室外面５０に対して背板部材２５を取付けた状態を示している。このように取付けた背板部材２５に対し、図６（ｂ）に示すように、縁部の全周に渡って防水シール材２６を配設する。さらに、図６（ｃ）に示すように、防水シール材２６を覆うように全周に渡って加熱発泡材２７を取付ける。加熱発泡材２７は、粘着テープによって固着されるが、ネジなど他の手段によって固定してもよい。
【００３１】
図７には火災発生時におけるシャッターボックス２上部の建物躯体付近の拡大図を、図８には火災発生時におけるシャッターボックス２下部の建物躯体付近の拡大図を、図９には火災発生時におけるシャッターボックス２側部の建物躯体付近の拡大図を、それぞれ示している。火災が発生してシャッターが高温に晒されると、加熱発泡材２７は発泡して面方向に膨張する。
【００３２】
図７に示すように、シャッターボックス２上部においては、発泡した加熱発泡材２７が、背板部材２５と背面カバー部材１９との隙間を充填すると共に、背面カバー部材１９の上方の空間を室外側に向かって充填する。図８に示すように、シャッターボックス２下部においては、発泡した加熱発泡材２７が、背板部材２５と背面カバー部材１９との隙間を充填する。図９に示すように、シャッターボックス２の側部においても、発泡した加熱発泡材２７が、背板部材２５と背面カバー部材１９との隙間を充填する。
【００３３】
加熱発泡材２７は背板部材２５の全周に渡って設けられているので、火災発生時には背板部材２５の縁部２５ａが、加熱発泡材２７により全周に渡って覆われることとなる。これによって、建物躯体側からの火炎や可燃ガスが、背板部材２５の縁部２５ａを介してシャッターボックス２内に侵入することを防止することができ、防火性を確保することができる。
【００３４】
また、加熱発泡材２７は背板部材２５の縁部２５ａに配設される防水シール材２６を覆うように設けられることにより、非防火の仕様のシャッターとは防水シール材２６の配設後に加熱発泡材２７を取付けるか否かの違いだけでよく、両者の作業工程をほとんど同じとすることができて、施工現場における作業性を良好にすることができる。
【００３５】
以上、本発明の実施形態について説明したが、本発明の適用は本実施形態には限られず、その技術的思想の範囲内において様々に適用されうるものである。本実施形態では、加熱発泡材２７を背板部材２５の縁部２５ａ全周に渡って設けているが、必ずしも全周に設けなくてもよく、必要に応じて背板部材２５の縁部２５ａのうち一部に加熱発泡材２７を設けるようにしてもよい。また、加熱発泡材２７は背板部材２５の縁部２５ａを覆うように設けられていればよく、加熱発泡材２７の幅や大きさも本実施形態で説明したものには限られない。
【符号の説明】
【００３６】
１    枠体
２    シャッターボックス
３    扉体
４    内障子
５    外障子
６    框体
７    パネル体
１０    上枠
１１    下枠
１２    縦枠
１２ａ  フィン部
１２ｂ  内側フィン部
１３    ガイドレール部材
１５    上側部材
１５ａ  フィン部
１５ｂ  内側フィン部
１６    下側部材
１６ａ  フィン部
１６ｂ  内側フィン部
１７    カバー部材
１８    側面部材
１９    後側カバー部材
２０    巻き取り軸
２１    開口部
２２    スラット
２３    幅木部材
２５    背板部材
２６    防水シール材
２７    加熱発泡材
５０    躯体室外面
【図１】
2015068023.tif 000003
【図２】
2015068023.tif 000004
【図３】
2015068023.tif 000005
【図４】
2015068023.tif 000006
【図５】
2015068023.tif 000007
【図６】
2015068023.tif 000008
【図７】
2015068023.tif 000009
【図８】
2015068023.tif 000010
【図９】
2015068023.tif 000011